(57)【要約】【課題】未受信となっているメッセージを確認して受信できなかったメッセージを再受信すること。【解決手段】ＰＴＴ配信処理部１５３は、ＰＴＴメッセージを配信し、履歴リスト作成部１５４は、同じグループの移動通信装置１０３の間で交換されたＰＴＴメッセージを音声情報及び文字情報としてメモリ１６０のＰＴＴメッセージ１５９に格納し、履歴リスト記憶部１５８に履歴リスト１５７を確保してＰＴＴメッセージ１５９の送受信情報を記憶し、履歴リスト１５７を更新する処理、検索する処理、及び読み出す処理を実行する。メッセージリスト生成部１５５は、メッセージリスト１２０の表示する移動通信装置１０３と同じグループの履歴リスト１５７の中で送受信状況１８６が「未受信」と記憶されているＰＴＴメッセージを検索して、メッセージリスト１２０を作成する。ＰＴＴ配信処理部１５３は、メッセージリスト１２０又は履歴リスト１５７を送信する。【選択図】図５
2007134829.tif 000002
【特許請求の範囲】
【請求項１】
複数の移動通信装置とメッセージサーバとが通信ネットワークを介して接続された移動通信システムであって、
前記メッセージサーバは、
前記移動通信装置から発信されるメッセージを受信する手段と、
前記メッセージを他の移動通信装置に配信する配信手段と、
前記メッセージを記憶するメッセージ記憶手段と、
前記メッセージの送受信状況に関する履歴情報を記憶する履歴情報記憶手段と、
前記履歴情報を前記移動通信装置に送信する履歴情報送信手段と、
前記移動通信装置からの要求に応じて、前記メッセージ記憶手段に記憶されたメッセージを前記移動通信装置に送信する手段と、を備え、
前記移動通信装置は、
メッセージを前記メッセージサーバに送信する手段と、
前記メッセージサーバからメッセージを受信する手段と、
前記メッセージサーバから受信した前記メッセージの処理に成功すると、前記メッセージサーバに受信が成功したことを返信する手段と、
前記メッセージサーバから前記履歴情報を受信する手段と、
前記履歴情報を表示する手段と、
前記履歴情報に従って前記メッセージの送信を前記メッセージサーバに要求するメッセージ送信要求手段と、
を備えることを特徴とする移動通信システム。
【請求項２】
前記メッセージサーバは、前記メッセージを発信した移動通信装置を含む複数の移動通信装置をグループとして記憶するグループ情報記憶手段を備え、前記配信手段は、前記グループ情報記憶手段において同じグループとして記憶された前記移動通信装置にメッセージを配信し、前記履歴情報送信手段は、前記グループ情報記憶手段において同じグループとして記憶された前記移動通信装置に関する前記履歴情報を送信することを特徴とする請求項１記載の移動通信システム。
【請求項３】
前記履歴情報記憶手段は、前記メッセージを文字情報に変換する手段を備え、前記メッセージを音声情報又は文字情報の少なくともいずれか一つの形式で記憶することを特徴とする請求項１又は請求項２に記載の移動通信システム。
【請求項４】
前記履歴情報は、前記移動通信装置が前記メッセージを発信したか、前記メッセージを受信できたか、又は前記メッセージを受信できなかったかのいずれかを、前記メッセージに付与したメッセージＩＤ、前記メッセージを文字情報に変換した件名、又は前記メッセージの配信時刻などと共に前記移動通信装置ごとに記憶したものであることを特徴とする請求項１から請求項３のいずれかに記載の移動通信システム。
【請求項５】
前記メッセージサーバは、前記履歴情報から前記履歴情報を受信する前記移動通信装置と同じグループとしてグループ情報記憶手段に記憶される移動通信装置に関係する履歴情報を選択して履歴リストを生成する履歴リスト生成部を備え、前記履歴情報送信手段は、前記履歴リストを送信することを特徴とする請求項１から請求項４のいずれかに記載の移動通信システム。
【請求項６】
前記履歴リスト生成部は、前記履歴リストから更に前記履歴情報を受信する前記移動通信装置に配信された前記メッセージに関する履歴情報を選択してメッセージリストを生成する履歴リスト生成部を備え、前記履歴情報送信手段は、前記メッセージリストを送信することを特徴とする請求項５記載の移動通信システム。
【請求項７】
前記履歴リスト生成部は、前記メッセージリストから更に前記履歴情報を受信する前記移動通信装置が受信できなかったメッセージに関する履歴情報を選択してメッセージリストを生成し、前記履歴情報送信手段は、前記メッセージリストを送信することを特徴とする請求項４又は請求項６に記載の移動通信システム。
【請求項８】
前記移動通信装置と前記メッセージサーバとの間のデータ通信は、パケット通信により行われることを特徴とする請求項１から請求項７のいずれかに記載の移動通信システム。
【請求項９】
移動通信装置から発信されるメッセージを受信する手段と、
前記メッセージを他の移動通信装置に配信する配信手段と、
前記メッセージを記憶するメッセージ記憶手段と、
前記メッセージの送受信状況に関する履歴情報を記憶する履歴情報記憶手段と、
前記履歴情報を前記移動通信装置に送信する履歴情報送信手段と、
前記移動通信装置からの要求に応じて、前記メッセージ記憶手段に記憶されたメッセージを前記移動通信装置に送信する手段と、
を備えることを特徴とするメッセージサーバ。
【請求項１０】
前記メッセージを発信した移動通信装置を含む複数の移動通信装置をグループとして記憶するグループ情報記憶手段を備え、前記配信手段は、前記グループ情報記憶手段において同じグループとして記憶された前記移動通信装置にメッセージを配信し、前記履歴情報送信手段は、前記グループ情報記憶手段において同じグループとして記憶された前記移動通信装置に関する前記履歴情報を送信することを特徴とする請求項９記載のメッセージサーバ。
【発明の詳細な説明】
【技術分野】
【０００１】
本発明は、移動通信システム及びメッセージサーバに関し、特にＰＴＴ（Push To Talk）機能を備える移動通信装置を用いてパケット化した音声情報を同じグループの複数の移動通信装置に確実に配信する移動通信システム及びメッセージサーバに関する。
【背景技術】
【０００２】
近年、移動通信装置に設けられたＰＴＴボタンを押すだけで予め同じグループとして登録された他の移動通信装置とグループボイス通信を行うことができる移動通信システムがある。グループボイス通信では、ＰＴＴボタンを押すことによってユーザが話したいという意志を示すと、ＩＰネットワークよりＩＰアドレスが割り当てられてＰＴＴボタンを押した移動通信装置が同じグループの他の移動通信装置と接続され、ユーザの発話音が音声パケット化されてＩＰアドレスを持つ同じグループの他の移動通信装置宛てにＩＰネットワークを通じて転送される。
【０００３】
グループとは、会話に参加する２台以上の移動通信装置の集合であり、１台の移動通信装置を複数のグループのメンバーとして登録することもできる。グループは、登録によって簡単に作ることができるし、変更したり、取り消したりすることもできる。このようなＰＴＴ通信においてコール設定が高速で実行できる通信手順が示される（特許文献１）。
【０００４】
特許文献１のパケットモードスピーチ通信における音声パケットの配信制御手順を図１０に示す。図１０に示すように、ユーザによってＰＴＴボタンが押されると、移動端末装置は移動ＲＡＮにスピーチアイテム要求を送信し、移動ＲＡＮによってアップリンクベアラが許可されてデータの送信が開始される。送信された第１パケットは、移動ネットワークの最上位階層部に設けられたＰｏＣブリッジへルーティングされ、ＰｏＣブリッジによってパケットが増倍されてグループの他のメンバーへ送信されるが、サポートノードは、移動端末装置がスタンバイ状態にあるとき、移動端末装置をページングして移動端末装置から確認（Ａｃｋ）を受け取り、ＲＡＮへ専用の無線ベアラの割り当てを要求して専用の無線リンクが確立された後、ＲＡＮを介して移動端末装置へ音声パケットを送信する。
【特許文献１】特表２００４−５３５０９７号公報（図４、図５）
【発明の開示】
【発明が解決しようとする課題】
【０００５】
しかしながら、特許文献１においては、移動端末装置の電源が入っていないとき、移動端末装置が無線通信の通信圏外にあるとき、又は音声パケットを受信するタイミングが他のグループの音声サービスやデータ通信サービスの受信などと重なってしまうと、メッセージを受信できないだけでなく、未受信となっているメッセージを確認することもできないし、再送を要求することもできないという問題があった。
【０００６】
本発明は、かかる点に鑑みてなされたものであり、未受信となっているメッセージを確認して受信できなかったメッセージを再受信することができる移動通信システム及びメッセージサーバを提供することを目的とする。
【課題を解決するための手段】
【０００７】
本発明の移動通信システムは、複数の移動通信装置とメッセージサーバとが通信ネットワークを介して接続された移動通信システムであって、前記メッセージサーバは、前記移動通信装置から発信されるメッセージを受信する手段と、前記メッセージを他の移動通信装置に配信する配信手段と、前記メッセージを記憶するメッセージ記憶手段と、前記メッセージの送受信状況に関する履歴情報を記憶する履歴情報記憶手段と、前記履歴情報を前記移動通信装置に送信する履歴情報送信手段と、前記移動通信装置からの要求に応じて、前記メッセージ記憶手段に記憶されたメッセージを前記移動通信装置に送信する手段と、を備え、前記移動通信装置は、メッセージを前記メッセージサーバに送信する手段と、前記メッセージサーバからメッセージを受信する手段と、前記メッセージサーバから受信した前記メッセージの処理に成功すると、前記メッセージサーバに受信が成功したことを返信する手段と、前記メッセージサーバから前記履歴情報を受信する手段と、前記履歴情報を表示する手段と、前記履歴情報に従って前記メッセージの送信を前記メッセージサーバに要求するメッセージ送信要求手段と、を備えることを特徴とする。
【発明の効果】
【０００８】
本発明によれば、未受信となっているメッセージを確認して受信できなかったメッセージを再受信することができるという効果がある。
【発明を実施するための最良の形態】
【０００９】
（一実施の形態）
以下、本発明の移動通信システムによる一実施の形態について図面を参照して詳細に説明する。図１は、本発明の一実施の形態に係る移動通信システムの構成を示すブロック図である。図１において、移動通信システム１０１は、予め同じグループとして登録されたＰＴＴボタン１０２が設けられた移動通信装置１０３ａ、１０３ｂ、１０３ｃ、…と、移動通信装置１０３ａ、１０３ｂ、１０３ｃ、…とそれぞれ通信を行う無線基地局１０４と、無線基地局１０４に接続されたパケット交換網１０５と、パケット交換網１０５に接続されたメッセージサーバ１０６と、を備える。
【００１０】
移動通信システム１０１において、ユーザが移動通信装置１０３ａに設けられたＰＴＴボタン１０２を押して音声によるＰＴＴメッセージを送信すると、送信されたＰＴＴメッセージは、無線基地局１０４及びパケット交換網１０５を介してメッセージサーバ１０６に送信され、メッセージサーバ１０６においてＰＴＴメッセージがコピーされて予め同じグループとして登録された複数の移動通信装置１０３ｂ、１０３ｃ、…に配信される。
【００１１】
同じグループとして登録された移動通信装置１０３ｂ、１０３ｃ、…は、特別な操作を行うことなく移動通信装置１０３ａから送信されたＰＴＴメッセージを受信できるが、ＰＴＴメッセージを受信したとき、移動通信装置１０３ｂ、１０３ｃ、…の電源が入っていなかったり、移動通信装置１０３ｂ、１０３ｃ、…が無線通信の通信圏外にあったり、又は既に他のグループの音声サービスやデータ通信サービスなどの受信処理を実行である場合、ＰＴＴメッセージを受信することができない。
【００１２】
メッセージサーバ１０６は、ＰＴＴメッセージの履歴リストを作成し、ＰＴＴメッセージの配信できない場合、履歴リストから移動通信装置１０３ｂ、１０３ｃ、…において未受信となっているＰＴＴメッセージのメッセージリストを生成して移動通信装置１０３ｂ、１０３ｃ、…に送信する。
【００１３】
移動通信装置１０３ｂ、１０３ｃ、…は、メッセージリストを受信し、未受信となっているＰＴＴメッセージを確認し、必要とするＰＴＴメッセージの再送信をメッセージサーバ１０６に要求し、ＰＴＴメッセージを受信する。
【００１４】
図２は、本発明の一実施の形態に係る移動通信装置の構成を示すブロック図である。移動通信装置１０３a、１０３ｂ、１０３ｃ、…は、アンテナ１１１を介して無線基地局１０４と通信を行う無線通信部１１２と、ＰＴＴボタン１０２と、ディスプレイ１１３と、キー操作部１１４と、音声信号のデータ形式を変換する音声処理部１１５と、音声を出力するスピーカ１１６と、発話音を入力するマイク１１７と、パケットの処理を行うパケット処理部１１８と、ＰＴＴ通信を制御するＰＴＴ通信制御部１１９と、メッセージリスト１２０を表示する表示処理部１２１と、グループ情報１２２及びメッセージリスト１２０などを記憶するメモリ１２３と、を制御部１２４に接続して備える。
【００１５】
図３は、本発明の一実施の形態に係るグループ情報の構成を示す図である。図３に示すように、グループ情報１２２は、ＰＴＴ通信を行うための情報であり、ＰＴＴメッセージを送信するメッセージサーバ１０６を識別するサーバ識別情報１３１と、グループを識別するグループ識別情報１３２と、グループ内で移動通信装置１０３を識別するための装置識別情報１３３などからなる。
【００１６】
図４は、本発明の一実施の形態に係るメッセージリストの構成を示す図である。図４に示すように、メッセージリスト１２０は、各移動通信装置１０３で未受信となっているＰＴＴメッセージの一覧であり、未受信となっているＰＴＴメッセージの配信日時１４１、発信装置１４２、メッセージＩＤ１４３、件名１４４などからなる。
【００１７】
ＰＴＴボタン１０２は、移動通信装置１０３の筐体表面に突設されたボタンとボタンの押下及び解放を検出してそれを制御部１２４に伝える機構とを有する。制御部１２４は、ＰＴＴボタン１０２の押下が伝えられると、ＰＴＴ通信制御部１１９を起動する。
【００１８】
ＰＴＴ通信制御部１１９は、マイク１１７により採取されたユーザの発話音を音声処理部１１５においてアナログーデジタル変換し、音声パケットとしてグループ情報１２２と共に無線通信部１１２からアンテナ１１１を介してサーバ識別情報１３１に記憶されたメッセージサーバ１０６宛てに送信する。ＰＴＴボタン１０２が解放されると、ＰＴＴ通信制御部１１９の処理を終了し、他の移動通信装置１０３が配信するＰＴＴメッセージをメッセージサーバ１０６から受信する。
【００１９】
パケット処理部１１８は、アンテナ１１１と無線通信部１１２を介して受信したパケットデータを処理し、音声データを音声処理部１１５においてデジタルーアナログ変換し、ＰＴＴメッセージをスピーカ１１６から音声として出力する。パケット処理部１１８は、メッセージサーバ１０６にＰＴＴメッセージの出力に成功すると「成功」を、ＰＴＴメッセージの出力に失敗すると「失敗」を返信する。
【００２０】
表示処理部１２１は、「失敗」を返信したことによって、メッセージサーバ１０６から配信されるＰＴＴメッセージのメッセージリスト１２０を編集してディスプレイ１１３に表示する。ユーザが、メッセージサーバ１０６に表示されたメッセージリスト１２０によって未受信となっているＰＴＴメッセージを確認し、必要とするＰＴＴメッセージを選んでキー操作部１１４からそのメッセージＩＤ１４３を入力すると、指定されたメッセージＩＤ１４３のＰＴＴメッセージが再送信される。移動通信装置１０３のキー操作部１１４からメッセージリスト１２０を送信するようにメッセージサーバ１０６に要求する入力を行い、メッセージリスト１２０を表示させることもできる。
【００２１】
図５は、本発明の一実施の形態に係るメッセージサーバの構成を示すブロック図である。図５に示すように、メッセージサーバ１０６は、パケット交換網１０５を介して無線基地局１０４と接続されて移動通信装置１０３と通信を行う通信部１５１と、認証部１５２と、ＰＴＴメッセージ及びメッセージリスト１２０を配信するＰＴＴ配信処理部１５３と、履歴リストを作成する履歴リスト作成部１５４と、メッセージリスト１２０を生成するメッセージリスト生成部１５５と、グループとして登録された移動通信装置１０３を記憶するグループ情報記憶部１５６と、履歴リスト作成部１５４で作成された履歴リスト１５７を記憶する履歴リスト記憶部１５８と、メッセージリスト１２０及びＰＴＴメッセージ１５９などを記憶するメモリ１６０と、を制御部１６１に接続して備える。
【００２２】
図６は、本発明の一実施の形態に係るグループ情報記憶部の構成を示す図である。図６に示すように、グループ情報記憶部１５６は、グループ識別情報１７１と、装置識別情報１７２と、有効期限１７３などで構成され、メッセージサーバ１０６が管理するグループ識別情報１７１ごとに移動通信装置１０３の装置識別情報１３３が装置識別情報１７２に登録される。
【００２３】
図７は、本発明の一実施の形態に係る履歴情報記憶部の構成を示す図である。図７に示すように、履歴リスト記憶部１５８は、グループ識別情報１８１ごとに履歴リスト１５７を記憶する。履歴リスト１５７は、配信日時１８２、メッセージＩＤ１８３、件名１８４、装置識別情報１８５ごとにＰＴＴメッセージの送受信結果を記憶する送受信状況１８６、及びＰＴＴメッセージを格納するメモリ１６０のアドレスを記憶するメッセージ格納アドレス１８７などからなる。
【００２４】
認証部１５２は、メッセージサーバ１０６にアクセスする移動通信装置１０３から送信されるグループ情報１２２のグループ識別情報１３２がメッセージサーバ１０６のグループ情報記憶部１５６のグループ識別情報１７１に記憶されていて、グループ情報１２２の装置識別情報１３３がそのグループ識別情報１７１の装置識別情報１７２に登録されている場合、移動通信装置１０３を認証して、メッセージサーバ１０６へのアクセスを許可する。
【００２５】
グループ情報の登録と管理は、予め外部のサーバによって行われ、メッセージサーバ１０６は、外部のサーバからグループ情報を取得してグループ情報記憶部１５６に格納する。
【００２６】
ＰＴＴ配信処理部１５３は、グループ情報記憶部１５６に記憶されているグループ識別情報１７１の装置識別情報１７２に基づいて、ＰＴＴボタン１０２が押下された移動通信装置１０３ａと同じグループに登録された移動通信装置１０３ｂ、１０３ｃ、…との間の接続を確立し、ＰＴＴメッセージに対してメッセージＩＤを付与し、ＰＴＴメッセージをコピーして同じグループに登録された移動通信装置１０３ｂ、１０３ｃ、…に配信する。また、メッセージリスト１２０又は履歴リスト１５７を送信する処理を実行する。
【００２７】
履歴リスト作成部１５４は、ＰＴＴメッセージを音声情報から文字情報に変換する機能を備え、同じグループの移動通信装置１０３の間で交換されたＰＴＴメッセージを音声情報又は文字情報の少なくともいずれか一つの形式でメモリ１６０のＰＴＴメッセージ１５９に格納し、履歴リスト記憶部１５８に履歴リスト１５７を確保してＰＴＴメッセージ１５９の送受信状況を記憶し、履歴リスト１５７を更新する処理、検索する処理、及び読み出す処理を実行する。
【００２８】
履歴リスト１５７の配信日時１８２には、移動通信装置１０３ｂ、１０３ｃ、…にＰＴＴメッセージが配信された時刻が記憶され、メッセージＩＤ１８３には、ＰＴＴ配信処理部１５３において付与されたメッセージＩＤが記憶され、件名１８４には、履歴リスト作成部１５４において変換されたＰＴＴメッセージの文字情報の一部もしくは全部が記憶され、メッセージ格納アドレス１８７には、ＰＴＴメッセージ１５９のアドレスが記憶される。
【００２９】
送受信状況１８６は、同じグループ識別情報１７１に登録された装置識別情報１７２を装置識別情報１８５として装置識別情報１８５が示す移動通信装置１０３ａ、１０３ｂ、１０３ｃ、…におけるＰＴＴメッセージの送受信結果を記憶したもので、ＰＴＴメッセージを発信した移動通信装置１０３の装置識別情報１８５には「発信」を記憶し、メッセージサーバ１０６からＰＴＴメッセージを配信した結果、装置識別情報１８５で示される移動通信装置１０３から「成功」が返信されれば「受信」、「成功」が返信されなければ「未受信」を記憶したものである。
【００３０】
メッセージリスト生成部１５５は、メッセージリスト１２０の表示する移動通信装置１０３のグループ識別情報１３２と同じグループ識別情報１８１の履歴リスト１５７の中で移動通信装置１０３の装置識別情報１３３と同じ装置識別情報１８５の送受信状況１８６が「未受信」と記憶されているＰＴＴメッセージを検索して、図４に示すようなメッセージリスト１２０を作成する。
【００３１】
メッセージリスト１２０の配信日時１４２には、履歴リスト１５７の配信日時１８２を記憶し、発信装置１４２には、履歴リスト１５７の中で移動通信装置１０３の装置識別情報１３３と同じ装置識別情報１８５の送受信状況１８６が「未受信」と記憶されているＰＴＴメッセージを発信した装置識別情報１８５を記憶し、メッセージＩＤ１４３にはそのメッセージＩＤ１８３を記憶し、件名１４４には、その件名１８４を記憶してメッセージリスト１２０を作成する。
【００３２】
以上のように構成された移動通信システム１０１の動作について説明する。図８及び図９は、本発明の一実施の形態に係る移動通信システムの動作を示すシーケンス図である。
【００３３】
図８は、ＰＴＴメッセージとメッセージリストが配信されるまでのシーケンスを示す図である。図８に示すように、移動通信装置１０３ａのユーザがＰＴＴボタン１０２を押下して音声を発すると（ＳＴ１０１）、ＰＴＴ通信制御部１１９は、スピーカ１１６より入力されたユーザの発話音を音声処理部１１５においてデジタル化し、デジタル化された音声データにグループ情報１２２を付加して音声パケットを生成する。
【００３４】
音声パケットは、ＰＴＴメッセージとして無線通信部１１２からアンテナ１１１を介してグループ情報１２２のサーバ識別情報１３１に記憶されるメッセージサーバ１０６宛に送信される（ＳＴ１０２）。
【００３５】
メッセージサーバ１０６は、パケット交換網１０５を介しＰＴＴメッセージを受信し（ＳＴ２０１）、認証部１５２において受信したグループ情報１２２のグループ識別情報１３２と装置識別情報１３３がメッセージサーバ１０６のグループ情報記憶部１５６のグループ識別情報１７１と装置識別情報１７２に登録されていて、グループ識別情報１７１の有効期限１７３が過ぎていなくて、かつこのグループ内で既にＰＴＴ通信を行っている他の移動通信装置１０３がないかをチェックする。
【００３６】
グループ情報１２２のグループ識別情報１３２と装置識別情報１３３がメッセージサーバ１０６のグループ情報記憶部１５６のグループ識別情報１７１と装置識別情報１７２に登録されていて、グループ識別情報１７１の有効期限１７３が過ぎていなくて、かつこのグループ内で既にＰＴＴ通信を行っている他の移動通信装置１０３がなければ、認証部１５２によって、グループ識別情報１７１に記憶されたグループにおけるＰＴＴ通信の発言権を移動通信装置１０３ａに対して保障し、履歴リスト作成部１５４においてグループ識別情報１７１に記憶されたグループのための履歴リスト１５７を作成する。
【００３７】
グループ情報１２２のグループ識別情報１３２又は装置識別情報１３３のいずれかがグループ識別情報１７１又は装置識別情報１７２に登録されていないか、グループ識別情報１７１の有効期限１７３が過ぎているか、又は登録されていたとしてもこのグループ内で既にＰＴＴ通信を行っている他の移動通信装置１０３があれば、メッセージサーバ１０６は、移動通信装置１０３ａにエラーを返信して、ＰＴＴ通信を実行させない。
【００３８】
履歴リスト作成部１５４は、グループ識別情報１７１に登録されたグループにおいて１件目のＰＴＴメッセージであるかをチェックし、１件目のＰＴＴメッセージであれば、履歴リスト記憶部１５８にこのグループの履歴リスト１５７を確保し、ＰＴＴメッセージを音声情報から文字情報に変換し、メモリ１６０に音声情報及び文字情報のＰＴＴメッセージ１５９を記憶し、履歴リスト１５７の配信日時１８２には現在時刻を、メッセージＩＤ１８３には後のＰＴＴ配信処理部１５３において付与されるメッセージＩＤを、件名１８４には履歴リスト作成部１５４において変換されたＰＴＴメッセージの文字情報の一部もしくは全部を、メッセージ格納アドレス１８７にはＰＴＴメッセージ１５９のアドレスを記憶し、履歴リスト１５７を作成する（ＳＴ２０２）。
【００３９】
次に、ＰＴＴ配信処理部１５３において、移動通信装置１０３ａのユーザが発信したＰＴＴメッセージにメッセージＩＤを付与してＰＴＴメッセージをコピーし（ＳＴ２０３）、メッセージリスト生成部１５５においてグループ識別情報１７１の履歴リスト１５７の中でＰＴＴメッセージを配信する移動通信装置１０３ｂ、１０３ｃ、…を示す装置識別情報１８５の送受信状況１８６が「未受信」となっているＰＴＴメッセージがあるかを検索し、「未受信」となっているＰＴＴメッセージがあれば（ＳＴ２０４；ＹＥＳ）、それを集めて図４に示すようなメッセージリスト１２０を生成し（ＳＴ２０５）、ＰＴＴメッセージとメッセージリスト１２０を音声パケットとして配信する（ＳＴ２０６）。
【００４０】
ＳＴ２０４において、「未受信」となっているＰＴＴメッセージがなければ（ＳＴ２０４；ＮＯ）、ＰＴＴメッセージを配信する（ＳＴ２０６）。
【００４１】
グループ情報１２２の装置識別情報１３３に登録される移動通信装置１０３ａ以外の装置識別情報１７２に登録された移動通信装置１０３ｂ、１０３ｃ、…は、アンテナ１１１を介して無線通信部１１２においてＰＴＴメッセージとメッセージリスト１２０又はＰＴＴメッセージを受信し（ＳＴ３０１）、パケット処理部１１８において受信したＰＴＴメッセージとメッセージリスト１２０又はＰＴＴメッセージを処理し、音声処理部１１５によってＰＴＴメッセージをデジタルーアナログ変換し、スピーカ１１６から音声を出力する（ＳＴ３０２）。
【００４２】
移動通信装置１０３ｂ、１０３ｃ、…の制御部１２４は、配信されたＰＴＴメッセージを出力できた場合は「成功」を、ＰＴＴメッセージが出力できなかった場合は「失敗」を配信の結果とし、メッセージサーバ１０６に返信し（ＳＴ３０３）、メッセージリスト１２０が受信されていれば（ＳＴ３０４；ＹＥＳ）、表示処理部１２１は、受信したメッセージリスト１２０を編集してディスプレイ１１３に表示する（ＳＴ３０５）。ＳＴ３０４において、メッセージリスト１２０が受信されていなければ（ＳＴ３０４；ＮＯ）、ＳＴ３０１に戻って、次の受信を待つ。
【００４３】
メッセージサーバ１０６は、ＰＴＴメッセージの配信結果を受信し（ＳＴ２０７）履歴リスト作成部１５４は、「成功」が返信されれば配信したＰＴＴメッセージの送受信状況１８６に「受信」を、「成功」が返信されなければ「未受信」を記憶して履歴リスト１５７を更新する（ＳＴ２０８）。
【００４４】
「成功」が返信されなければ（ＳＴ２０９；ＮＯ）、グループ識別情報１７１の履歴リスト１５７の中で「成功」が返信されなかった移動通信装置１０３を示す装置識別情報１８５の送受信状況１８６が「未受信」となっているＰＴＴメッセージを集めて、図４に示すようなメッセージリスト１２０を生成し（ＳＴ２１０）、ＰＴＴメッセージの配信が「成功」しなかった移動通信装置１０３にメッセージリスト１２０を送信する（ＳＴ２１１）。
【００４５】
移動通信装置１０３は、再びアンテナ１１１を介して無線通信部１１２においてメッセージリスト１２０を受信し（ＳＴ３０６）、表示処理部１２１によって受信したメッセージリスト１２０を編集してディスプレイ１１３に表示する（ＳＴ３０７）。
【００４６】
メッセージサーバ１０６は、グループ情報１２２のグループ識別情報１３２と同じグループ識別情報１７１に登録される装置識別情報１３３で示される移動通信装置１０３ａ以外の装置識別情報１７２に記憶された同じグループの全ての移動通信装置１０３ｂ、１０３ｃ、…に対する処理が全て終了するまで（ＳＴ２１２；ＮＯ）、ＳＴ２０３に戻って、ＳＴ２０３からＳＴ２１２の処理を繰り返して、装置識別情報１７２に記憶された次の移動通信装置１０３に移動通信装置１０３ａのユーザが発信したＰＴＴメッセージと配信先の移動通信装置１０３で未受信となっているＰＴＴメッセージを集めたメッセージリスト１２０を順番に配信する処理を実行する。
【００４７】
ＳＴ２０９において、「成功」が返信されれば（ＳＴ２０９；ＹＥＳ）、ＳＴ２１２の処理を実行する。
【００４８】
ＳＴ２１２において、グループ情報１２２のグループ識別情報１３２と同じグループ識別情報１７１に登録される装置識別情報１３３以外の装置識別情報１７２に記憶された移動通信装置１０３ｂ、１０３ｃ、…に対する処理が全て終了すると（ＳＴ２１２；ＹＥＳ）、移動通信装置１０３ａにおいてＰＴＴボタンが開放されることを待つ。
【００４９】
移動通信装置１０３ａにおいてＰＴＴボタンが開放されて（ＳＴ１０３）、それが送信されると（ＳＴ１０４）、メッセージサーバ１０６は、ＰＴＴボタンの開放を受信し（ＳＴ２１３）、認証部１５２においてグループ識別情報１７１のＰＴＴ通信の発言権が放棄されたことを認知し、グループ識別情報１８１の履歴リスト１５７を移動通信装置１０３ａに送信し（ＳＴ２１４）、ＳＴ２０１に戻って、メッセージサーバ１０６に対する次のアクセスを待つ。
【００５０】
移動通信装置１０３ａは、グループ識別情報１８１の履歴リスト１５７を受信し（ＳＴ１０５）、表示処理部１２１によって履歴リスト１５７を編集してディスプレイ１１３に表示する（ＳＴ１０６）。
【００５１】
図９は、ＰＴＴメッセージを再受信するまでのシーケンスを示す。図９に示すように、移動通信装置１０３ｂ、１０３ｃ、…のディスプレイ１１３に表示されるメッセージリスト１２０からユーザが再送信を必要とするメッセージＩＤを選択してキー操作部１１４からメッセージＩＤを入力すると（ＳＴ３０８；ＹＥＳ）、メッセージサーバ１０６に対して指定されたメッセージＩＤのＰＴＴメッセージを再送信する要求が返信される（ＳＴ３０９）。ＳＴ３０８において、メッセージＩＤが入力されないと（ＳＴ３０８；ＮＯ）、ＳＴ３０１に戻って、次の受信を待つ。
【００５２】
メッセージサーバ１０６は、ＰＴＴメッセージの再送信要求を受信すると（ＳＴ２１５）、ＰＴＴ配信処理部１５３によって、再送信を要求した移動通信装置１０３のグループ情報１２２と同じグループ識別情報１８１を持つ履歴リスト１５７のメッセージＩＤ１８３の中から受信したメッセージＩＤと同じものを検索し（ＳＴ２１６）、メッセージＩＤ１８３のメッセージ格納アドレス１８７に記憶されるＰＴＴメッセージを読み出して再送信を要求する移動通信装置１０３に再送信する（ＳＴ２１７）。
【００５３】
移動通信装置１０３は、アンテナ１１１を介して無線通信部１１２においてＰＴＴメッセージを受信し（ＳＴ３１０）、パケット処理部１１８において受信したＰＴＴメッセージを処理して音声処理部１１５によってＰＴＴメッセージをデジタルーアナログ変換し、スピーカ１１６から音声として出力し（ＳＴ３１１）、制御部１２４は、配信されたＰＴＴメッセージを出力できた場合は「成功」を、ＰＴＴメッセージが出力できなかった場合は「失敗」を配信の結果とし、メッセージサーバ１０６に返信する（ＳＴ３１２）。
【００５４】
メッセージサーバ１０６は、ＰＴＴメッセージの配信結果を受信し（ＳＴ２１８）、履歴リスト作成部１５４は、「成功」が返信されれば（ＳＴ２１９；ＹＥＳ）、配信したＰＴＴメッセージの送受信状況１８６に「受信」に変更して履歴リスト１５７を更新する（ＳＴ２２０）。ＳＴ２１９において、「成功」が返信されなければ（ＳＴ２１９；ＮＯ）、ＳＴ２１５に戻って、次のアクセスを待つ。
【００５５】
また、移動通信装置１０３が、キー操作部１１４からメッセージリスト１２０の表示を要求すると（ＳＴ３１３；ＹＥＳ）、メッセージサーバ１０６に対してメッセージリスト１２０の表示要求がグループ情報１２２を付加してサーバ識別情報１３１に記憶されるメッセージサーバ１０６宛に送信される（ＳＴ３１４）。ＳＴ３１３において、要求が入力されないと（ＳＴ３１３；ＮＯ）、ＳＴ３０１に戻って、次の受信を待つ。
【００５６】
メッセージサーバ１０６は、メッセージリスト１２０の表示要求を受信すると（ＳＴ２２１）、認証部１５２において、グループ情報１２２のグループ識別情報１３２と装置識別情報１３３がメッセージサーバ１０６のグループ情報記憶部１５６のグループ識別情報１７１と装置識別情報１７２に記憶されていて、グループ識別情報１７１の有効期限１７３が過ぎていないかをチェックする。
【００５７】
グループ情報１２２のグループ識別情報１３２と装置識別情報１３３がメッセージサーバ１０６のグループ情報記憶部１５６のグループ識別情報１７１と装置識別情報１７２に登録されていて、グループ識別情報１７１の有効期限１７３が過ぎていなければ、認証部１５２によって移動通信装置１０３を認証し、グループ識別情報１７１の履歴リスト１５７の中でメッセージリスト１２０の表示を要求する移動通信装置１０３を示す装置識別情報１８５の送受信状況１８６が「未受信」となっているＰＴＴメッセージを集めて、図４に示すようなメッセージリスト１２０を生成し（ＳＴ２２２）、移動通信装置１０３にメッセージリスト１２０を送信する（ＳＴ２２３）。
【００５８】
移動通信装置１０３は、アンテナ１１１を介して無線通信部１１２においてメッセージリスト１２０を受信し（ＳＴ３１５）、表示処理部１２１によって受信したメッセージリスト１２０を編集してディスプレイ１１３に表示して（ＳＴ３１６）、Ｔ３０８に戻る。
【００５９】
以上、詳細に説明したように、本発明の実施の形態によれば、移動通信システム１０１のメッセージサーバ１０２にＰＴＴメッセージ１５９を記憶するメモリ１６０と、ＰＴＴメッセージ１５９の送受信状況１８６に関する履歴リスト１５７を記憶する履歴リスト記憶部１５８と、履歴リスト１５７と、メモリ１６０に記憶されたＰＴＴメッセージ１５９を移動通信装置１０３ｂ、１０３ｃ、…に送信するＰＴＴ配信処理部１５３を備えたので、未受信となっているメッセージを確認して受信できなかったメッセージを再受信することができた。
【００６０】
実施の形態によれば、メッセージサーバ１０２にグループ識別情報１７１の履歴リスト１５７の中でＰＴＴメッセージを配信する移動通信装置１０３を示す装置識別情報１８５の送受信状況１８６が「未受信」となっているＰＴＴメッセージがあるかを検索し、「未受信」となっているＰＴＴメッセージがあれば、それを集めてメッセージリスト１２０を生成するメッセージリスト生成部１５５を設けたので、ユーザは、受信すべきＰＴＴメッセージの中で受信できなかったＰＴＴメッセージを知ることができる。
【００６１】
実施の形態によれば、ＰＴＴメッセージを受信するときにそれまでに未受信のメッセージがある場合、ＰＴＴメッセージの受信に失敗したとき、及びユーザからの要求があったときにディスプレイ１１３にメッセージリスト１２０を表示しているので、未受信のＰＴＴメッセージを確実に認知させることができる。
【００６２】
実施の形態によれば、ユーザはディスプレイ１１３に表示されたＰＴＴメッセージによって必要とするＰＴＴメッセージのメッセージＩＤを入力するので、簡単にＰＴＴメッセージを再送信さえることができる。
【００６３】
尚、実施の形態では、ＰＴＴメッセージを音声として出力しているが、文字情報として再送信させ、ディスプレイ１１３に表示するようにしても良い。
【００６４】
尚、実施の形態では、ＰＴＴメッセージを受信するときに未受信のメッセージがある場合、ＰＴＴメッセージの受信に失敗したとき、又はユーザからの要求があったときにメッセージリスト１２０を表示しているが、履歴リスト１５７を表示するようにしても良い。
【００６５】
尚、実施の形態では、メッセージリスト１２０は、未受信のＰＴＴメッセージを選択して表示しているが、メッセージリスト１２０を受信する移動通信装置１０３が受信した全てのＰＴＴメッセージを表示するようにしても良い。
【００６６】
尚、実施の形態では、ＰＴＴメッセージの発信装置である移動通信装置１０３ａが、ＰＴＴボタンを解放した後、履歴リスト１５７を表示しているが、移動通信装置１０３ａから発信されたＰＴＴメッセージが未受信である同じグループの移動通信装置１０３ｂ、１０３ｃ、…のメッセージリスト１２０を表示しても良いし、移動通信装置１０３ａにおいて未受信となっているメッセージリスト１２０を表示しても良いし、何も表示しなくても良い。
【００６７】
尚、実施の形態では、ＰＴＴメッセージの発信装置である移動通信装置１０３ａが、ＰＴＴボタンを解放した後に表示される履歴リスト１５７からはＰＴＴメッセージの送信を要求していないが、発信装置である移動通信装置１０３ａからＰＴＴメッセージの送信を要求してＰＴＴメッセージの再送信を行わせても良い。
【００６８】
尚、実施の形態では、履歴リスト１５７が表示された状態でＰＴＴメッセージの送信要求をしていないが、履歴リスト１５７を表示した状態でＰＴＴメッセージの送信要求を受けて、ＰＴＴメッセージの再送信を実行さえるようにしても良い。
【００６９】
尚、実施の形態では、キー操作部１１４からメッセージＩＤを入力することでＰＴＴメッセージの送信を要求しているが、ディスプレイ１１３に表示されたメッセージリスト１２０のＰＴＴメッセージにカーソルを合わせて決定キーを入力することでＰＴＴメッセージの送信を要求するようにしても良い。
【産業上の利用可能性】
【００７０】
本発明に係る移動通信システム及びメッセージサーバは、未受信となっているメッセージを確認して受信できなかったメッセージを再受信することができるという効果を備え、特にＰＴＴ機能を備える移動通信装置を用いてパケット化した音声情報を同じグループの複数の移動通信装置に確実に配信する移動通信システム及びメッセージサーバに有効である。
【図面の簡単な説明】
【００７１】
【図１】本発明の一実施の形態に係る移動通信システムの構成を示すブロック図
【図２】本発明の一実施の形態に係る移動通信装置の構成を示すブロック図
【図３】本発明の一実施の形態に係るグループ情報の構成を示す図
【図４】本発明の一実施の形態に係るメッセージリストの構成を示す図
【図５】本発明の一実施の形態に係るメッセージサーバの構成を示すブロック図
【図６】本発明の一実施の形態に係るグループ情報記憶部の構成を示す図
【図７】本発明の一実施の形態に係る履歴情報記憶部の構成を示す図
【図８】本発明の一実施の形態に係るパケット移動通信システムの動作を示すシーケンス図
【図９】本発明の一実施の形態に係るパケット移動通信システムの動作を示すシーケンス図
【図１０】従来のパケットモードスピーチ通信における音声パケットの配信制御手順を示すシーケンス図
【符号の説明】
【００７２】
１０１  移動通信システム
１０２  ＰＴＴボタン
１０３  移動通信装置
１０４  無線基地局
１０５  パケット交換網
１０６  メッセージサーバ
１１１  アンテナ
１１２  無線通信部
１１３  ディスプレイ
１１４  キー操作部
１１５  音声処理部
１１６  スピーカ
１１７  マイク
１１８  パケット処理部
１１９  ＰＴＴ通信制御部
１２０  メッセージリスト
１２１  表示処理部
１２２  グループ情報
１２３、１６０  メモリ
１２４、１６１  制御部
１３１、  サーバ識別情報
１３２、１７１、１８１  グループ識別情報
１３３、１７２、１８５  装置識別情報
１４１、１８２  配信日時
１４２  発信装置
１４３、１８３  メッセージＩＤ
１４４、１８４  件名
１５１  通信部
１５２  認証部
１５３  ＰＴＴ配信処理部
１５４  履歴リスト作成部
１５５  メッセージリスト生成部
１５６  グループ情報記憶部
１５７  履歴リスト
１５８  履歴リスト記憶部
１５９  ＰＴＴ通信制御部
１７３  有効期限
１８６  送受信状況
１８７  メッセージ格納アドレス
【図１】
2007134829.tif 000003
【図２】
2007134829.tif 000004
【図３】
2007134829.tif 000005
【図４】
2007134829.tif 000006
【図５】
2007134829.tif 000007
【図６】
2007134829.tif 000008
【図７】
2007134829.tif 000009
【図８】
2007134829.tif 000010
【図９】
2007134829.tif 000011
【図１０】
2007134829.tif 000012